(57)【要約】【課題】複数の端末から広告情報を更新する場合であっても、アドレス情報や認証情報などの入力を必要とせずに、簡単に広告情報を更新することが可能な広告情報提供システムを提供すること。【解決手段】広告情報を管理するための管理用のアドレス情報を２次元コード化し、複数の携帯端末１０などで管理用の２次元コードを読取らせることによって、複数の携帯端末１０から管理用のアドレスにアクセスし、広告情報を更新する。【選択図】図２
2008269306.tif 000002
【特許請求の範囲】
【請求項１】
複数の広告情報を記憶する広告情報記憶部と、
端末において、前記複数の広告情報の各広告情報の閲覧画面を表示させる閲覧画面制御部と、
前記複数の広告情報の各広告情報に対応するアドレス情報であって、各広告情報を管理するためのアドレス情報が符号化された２次元コードを生成する２次元コード生成部と、
前記２次元コードから前記アドレス情報を読取った端末において、該アドレス情報に対応する広告情報の管理画面を表示させる管理画面制御部と、
前記管理画面を表示させた端末からの要求に応じて、該管理画面に対応する広告情報を更新する広告情報更新部と、
を含むことを特徴とする広告情報提供システム。
【請求項２】
請求項１において、
前記管理画面を表示させた端末の識別情報を取得する識別情報取得部と、
前記端末からの要求に応じて広告情報を更新した場合に、該端末について課金処理を行う課金処理部と、
前記端末の識別情報と該端末ごとの課金情報とを関連付けて記憶する課金情報記憶部と、
前記端末の識別情報と該端末ごとの課金情報とを関連付けて出力する課金情報出力部と、
を更に含むことを特徴とする広告情報提供システム。
【請求項３】
請求項１、２のいずれかにおいて、
前記複数の広告情報の各広告情報に対応するアドレス情報を変更するアドレス情報変更部を更に含み、
前記２次元コード生成部が、
変更後のアドレス情報が符号化された２次元コードを生成することを特徴とする広告情報提供システム。
【発明の詳細な説明】
【技術分野】
【０００１】
本発明は、広告情報を提供する情報提供システムに関する。
【背景技術】
【０００２】
従来から、インターネット上のＷＥＢサイトに広告画像や広告テキストなどの広告情報を掲載するシステムが知られている。このようなシステムの中には、広告主が自らの端末から広告情報を更新するためのアドレスにアクセスして広告情報を更新することができるようにし、広告情報を最新の情報に保つようにしたものもある。そしてこのようなシステムでは、広告情報を更新しようとする端末が広告主などの広告情報の更新権限を有する者に操作されていることを認証するために、ＩＤやパスワードなどの認証情報を要求している（特許文献１）。
【特許文献１】特開２００５−２６７４２１号公報
【発明の開示】
【発明が解決しようとする課題】
【０００３】
ここで、広告情報を更新しようとする端末が特定の端末に限られている場合には、広告情報を更新するごとに認証情報が要求されても、当該特定の端末に認証情報を記憶させるなどすることにより認証情報を入力する煩雑さを回避することができる。しかし、広告情報を更新しようとする端末が特定の端末に限られていない場合には、広告情報を更新するためのアドレスにアクセスするためのアドレス情報や、ＩＤやパスワードなどの認証情報などを他の端末において再び入力する必要があり、作業が煩雑になってしまう。
【０００４】
そこで本発明では、複数の端末から広告情報を更新する場合であっても、アドレス情報や認証情報などの入力を必要とせずに、簡単に広告情報を更新することが可能な広告情報提供システムを提供することを目的とする。
【課題を解決するための手段】
【０００５】
（１）本発明は、
複数の広告情報を記憶する広告情報記憶部と、
端末において、前記複数の広告情報の各広告情報の閲覧画面を表示させる閲覧画面制御部と、
前記複数の広告情報の各広告情報に対応するアドレス情報であって、各広告情報を管理するためのアドレス情報が符号化された２次元コードを生成する２次元コード生成部と、
前記２次元コードから前記アドレス情報を読取った端末において、該アドレス情報に対応する広告情報の管理画面を表示させる管理画面制御部と、
前記管理画面を表示させた端末からの要求に応じて、該管理画面に対応する広告情報を更新する広告情報更新部と、
を含むことを特徴とする広告情報提供システムに関係する。
【０００６】
また本発明は、上記各部としてコンピュータを機能させるプログラムに関係する。また本発明は、コンピュータ読み取り可能な情報記憶媒体であって、上記各部としてコンピュータを機能させるプログラムを記憶（記録）した情報記憶媒体に関係する。
【０００７】
本発明においては、まず、本システムの利用契約を締結した広告主などに、広告主の広告情報を管理するためのアドレス情報が符号化された管理用の２次元コードを渡しておく。そして広告主は、カメラ付き携帯電話などの２次元コード読取り装置を備えた端末で管理用の２次元コードを読取ることによって、本システムの広告情報を管理するためのアドレスにアクセスする。すると、端末において管理画面が表示されるので、広告主は管理画面を見ながら操作を行い、端末に記憶させている画像やテキストなどを本システムに送信することにより広告情報を更新することができる。
【０００８】
ここで本発明によれば、広告情報を管理するためのアドレス情報を２次元コード化するので、広告主の端末のみならず、広告情報を更新する権限が認められた者が所有する携帯端末などでも管理用の２次元コードを読取らせることによって、広告情報を更新する権限が認められた者が所有する携帯端末からでも広告情報を更新することができる。従って、例えば異なる場所にある複数の携帯端末から、各携帯端末が取得した画像や入力テキストなどを送信して広告情報を随時更新することができる。
【０００９】
このように本発明によれば、複数の端末から簡単に本システムの広告情報を管理するためのアドレスにアクセスして広告情報を更新することができるので、人や端末の状況に関わらず機動的に広告情報を更新することができる広告情報提供システムを構築することができる。しかも本発明によれば、管理用の２次元コードを厳重に管理することにより不正なアクセスを防止することができるので、アクセスの際にＩＤやパスワードなどの認証情報の要求を省略することができる。
【００１０】
こうして本発明によれば、複数の端末から広告情報を更新する場合であっても、アドレス情報や認証情報などの入力を必要とせずに、機動的かつ簡単に広告情報を更新することが可能な広告情報提供システムを提供することができる。
【００１１】
（２）また本発明に係る広告情報提供システム、プログラム及び情報記憶媒体では、
前記管理画面を表示させた端末の識別情報を取得する識別情報取得部と、
前記端末からの要求に応じて広告情報を更新した場合に、該端末について課金処理を行う課金処理部と、
前記端末の識別情報と該端末ごとの課金情報とを関連付けて記憶する課金情報記憶部と、
前記端末の識別情報と該端末ごとの課金情報とを関連付けて出力する課金情報出力部と、
を更に含むようにしてもよい。
【００１２】
本発明によれば、広告情報を更新した場合に端末ごとに課金処理を行うとともに、広告情報を更新した端末の識別情報と課金情報とを、例えば利用明細の形で出力することができる。これにより本発明によれば、複数の端末から広告情報を更新する場合であっても、各端末における本システムの利用状況を監視することによって、本システムの濫用を防止することができる。
【００１３】
（３）また本発明に係る広告情報提供システム、プログラム及び情報記憶媒体では、
前記複数の広告情報の各広告情報に対応するアドレス情報を変更するアドレス情報変更部を更に含み、
前記２次元コード生成部が、
変更後のアドレス情報が符号化された２次元コードを生成するようにしてもよい。
【００１４】
本発明によれば、例えば定期的に、或いは２次元コード（アドレス情報）の管理上の問題が生じた場合に、広告情報に対応するアドレス情報を変更するとともに、変更後のアドレスにアクセスするための管理用の２次元コードを生成することにより、本システムの濫用を防止することができる。
【発明を実施するための最良の形態】
【００１５】
以下、本発明を、汎用の携帯端末から広告情報を更新することができる広告情報提供システムに適用した場合を例に採り、図面を参照しつつ説明する。なお、以下に示す実施形態は、特許請求の範囲に記載された発明の内容を何ら限定するものではない。また、以下の実施形態に示す構成のすべてが、特許請求の範囲に記載された発明の解決手段として必須であるとは限らない。
【００１６】
１．システム全体の概略
図１は、本実施形態の一例に係るシステム全体の概略図である。本システムは、端末装置の一種である携帯端末１０と、携帯端末１０とネットワーク２０を介して接続されているサーバー３０と、を含んで構成されている。本実施形態では、サーバー３０が広告情報提供システムとして機能する。
【００１７】
携帯端末１０は、音声通話をすることができるとともに、パケット通信などのデジタルデータ通信を行うことができるように形成されている。そして携帯端末１０には、ＷＥＢブラウザやメールソフトがインストールされており、ＷＥＢアドレスにアクセスしてＷＥＢページを表示部１２に表示させたり、操作部１４からの入力データに基づいてテキストデータを作成しこれをメールとして送受信することができる。
【００１８】
また携帯端末１０は、図示しないがカメラを備えており、カメラで撮像した画像データを表示部１２に表示させたり、携帯端末１０の記憶部に記憶させて保存することができる。更に携帯端末１０は、保存した画像データをメールに添付して送信したり、アクセスしたＷＥＢアドレス（サーバー３０の記憶部）にアップロードすることができる。
【００１９】
また携帯端末１０には、カメラで撮像した２次元コード画像から、２次元コードに符号化されている２値化データを読取るための２次元コード読取りプログラムが実装されている。本実施形態の携帯端末１０は、２次元コードの一例であるＱＲコード（株式会社デンソーウェーブの登録商標）を読取り可能に形成されており、ＱＲコードを構成する暗（黒）モジュールと明（白）モジュールとの組合せが示す文字情報を、携帯端末１０の表示部１２に表示させる。特に本実施形態の携帯端末１０は、２次元コードから読取られた文字情報がＵＲＬやメールアドレスなどのアドレス情報である場合には、携帯端末１０の表示部１２にアドレス情報を表示させるとともに、表示させたアドレス情報についての選択操作が行われると、ＷＥＢブラウザを起動して選択されたＵＲＬにアクセスしたり、メールソフトを起動して選択されたメールアドレスを送信先として設定する。従ってアドレス情報を携帯端末１０の操作部１４から入力しなくとも、簡単に選択したアドレス情報にアクセスすることができる。
【００２０】
サーバー３０は、広告情報提供システムとして機能し、携帯端末１０に種々の広告情報を提供する。特に本実施形態のサーバー３０は、複数の広告主の広告情報をデータベース化して記憶し、携帯端末１０が広告情報の閲覧用のアドレスにアクセスすると携帯端末１０に広告情報の閲覧用画像を提供する。そして、携帯端末１０が広告情報の管理用のアドレスにアクセスすると携帯端末１０に広告情報の管理用画像を提供するとともに、携帯端末１０から送信されたコマンド情報や新たな広告情報などによってサーバー３０の広告情報を登録、更新、削除するなど、広告主が広告情報を管理するための処理を行う。
【００２１】
２．広告情報提供システムの運用例
次に、本実施形態のサーバー３０を用いた広告情報提供システム全体の運用例について説明する。図２は、飲食店の経営者が広告主Ｏとなって本実施形態の広告情報提供システムを利用して、飲食店の広告情報を提供する場合の運用例を示したものである。図２の例では、広告主Ｏと、広告主Ｏの従業者Ａの携帯端末１０Ａと、従業者Ｂの携帯端末１０Ｂと、サーバー３０と、広告を閲覧する消費者Ｃの携帯端末１０Ｃとにおいて行われる処理と、各者の間でやり取りされる情報とが示されている。
【００２２】
まず広告主Ｏと本実施形態の広告情報提供システムの運用者とが利用契約を締結し（ステップＳ１０）、本実施形態の広告情報提供システムに会員登録が行われ、利用料金が納付されると、サーバー３０は、広告主Ｏが利用することができるデータベースの記憶領域のアドレス情報を広告主Ｏに割り当てる（ステップＳ１２）。このアドレス情報には、携帯端末１０に広告情報の閲覧用画像を提供するための閲覧用のアドレス情報や、携帯端末１０に広告情報の管理用画像を提供するための管理用のアドレス情報や、サーバー３０のソフトウェアにより閲覧用のアドレスや管理用のアドレスからリンクされる保存データのディレクトリなどを示すアドレス情報などが含まれる。これらアドレス情報は、インターネット上で外部のアドレス情報とリンクする絶対パスを基礎として、複数のディレクトリやフォルダがツリー構造をなしているものとすることができる。
【００２３】
そしてサーバー３０は、閲覧用のアドレス情報が符号化された閲覧用の２次元コードと、管理用のアドレス情報が符号化された管理用の２次元コードとを生成する（ステップＳ１４）。本実施形態では２次元コードとして、アドレス情報を示すビット列に基づいてＱＲコードを生成する。なお、サーバー３０に接続され、２次元コード生成プログラムがインストールされた外部端末において、閲覧用の２次元コードと、管理用の２次元コードとを生成するようにしてもよい。
【００２４】
すると、閲覧用の２次元コードと管理用の２次元コードとが広告主Ｏに付与される。ここで２次元コードは、２次元コード画像としてメールに添付して広告主Ｏに送信してもよいし、２次元コードを印刷物として出力したものが広告主Ｏに手渡し或いは郵送されるようにしてもよい。そして広告主Ｏは、閲覧用の２次元コードを雑誌やインターネット上のＷＥＢサイトなどに掲示して、消費者Ｃの携帯端末１０Ｃに閲覧用の２次元コードを読取らせて（ステップＳ１６）、消費者Ｃの携帯端末１０Ｃがサーバー３０のデータベースの閲覧用のアドレスにアクセスできるようにする。また、広告主Ｏは、管理用の２次元コードを事業所内で厳重に管理しつつ、従業者Ａの携帯端末１０Ａや従業者Ｂの携帯端末１０Ｂに管理用の２次元コードを読取らせて（ステップＳ１８、ステップＳ２０）、従業者Ａの携帯端末１０Ａや従業者Ｂの携帯端末１０Ｂがサーバー３０のデータベースの管理用のアドレスにアクセスできるようにする。こうして広告主Ｏは、閲覧用の２次元コードと管理用の２次元コードとを利用する。
【００２５】
そして、例えば従業者Ａの携帯端末１０Ａがサーバー３０のデータベースの管理用のアドレスにアクセスすると（ステップＳ２２）、携帯端末１０Ａが携帯端末１０Ａの端末識別情報を送信し、サーバー３０が携帯端末１０Ａの端末識別情報を取得すると、サーバー３０は、携帯端末１０Ａのアクセスを受付ける（ステップＳ２４）。するとサーバー３０は、携帯端末１０Ａにおいて広告情報の管理画面を表示させるための制御処理を行う（ステップＳ２６）。例えばサーバー３０は、携帯端末１０Ａが指定した管理用のアドレス情報に対応する広告情報をデータベースから読出し、管理用画面として構成して携帯端末１０に送信する。すると、携帯端末１０Ａは表示画面に管理画面を表示させるとともに（ステップＳ２８）、従業者Ａの広告情報の管理操作（編集操作）を受付け、コマンド情報や更新用の広告情報などをサーバー３０に送信する。するとサーバー３０は、データベースの広告情報を、送信された更新用の広告情報に更新する（ステップＳ３０）。
【００２６】
図３は、ステップＳ２６、ステップＳ２８、ステップＳ３０においてサーバー３０が行う処理の詳細の一例を示すフローチャート図である。図３に示すように、本実施形態のサーバー３０は、まず携帯端末１０Ａからのアクセスがあると（ステップＳ１００のＹ）、携帯端末１０Ａの端末識別情報を取得したか否か判断し（ステップＳ１０２）、端末識別情報を取得できない場合には（ステップＳ１０２のＮ）、携帯端末１０Ａのアクセスを受付けず、エラー出力を行う（ステップＳ１０４）。
【００２７】
一方、端末識別情報を取得した場合には（ステップＳ１０２のＹ）、携帯端末１０Ａのアクセスを受付け、データベースの対応する保存用ディレクトリから広告情報を読み出す（ステップＳ１０６）。そして閲覧用画面と同様の位置に画像データやテキストデータが配置された管理用画面を構成して（ステップＳ１０８）、管理用画面を携帯端末１０Ａに送信する（ステップＳ１１０）。
【００２８】
図４は、携帯端末１０Ａの表示部１２に表示される管理用画面ＡＰの一例である。図４に示すように本実施形態の管理用画面ＡＰでは、閲覧用画面のＷＥＢページにおいて画像データを表示させる位置に画像エリアＰＡが表示され、閲覧用画面のＷＥＢページにおいてテキストデータを表示させる位置にテキストエリアＴＡが表示される。また画像エリアＰＡまたはテキストエリアＴＡの外周には、選択枠表示ＳＦが表示される。この選択枠表示ＳＦは、現在選択されているエリアを操作者に識別させるためのものであり、操作部１４を操作することによって画像エリアＰＡの外周またはテキストエリアＴＡの外周に移動させることができる。また管理用画面ＡＰの最下部には、携帯端末１０Ａの操作部１４の各ボタンに割り当てた機能を示す機能エリアＦＡが表示される。
【００２９】
そして従業者Ａが操作部１４により、選択枠表示ＳＦを画像エリアＰＡの外周に位置させた状態で選択操作を行うと、図５（Ａ）に示すように、携帯端末１０Ａに記憶されている画像データの一覧がサムネイル形式で表示される画像データ選択画面ＰＰが表示される。そして、従業者Ａは画像エリアＰＡの更新用の画像データを選択して、選択した画像データをサーバー３０に送信することができる。また、選択枠表示ＳＦをテキストエリアＴＡの外周に位置させた状態で選択操作を行うと、図５（Ｂ）に示すように、テキストデータ入力画面ＴＰが表示される。そして、従業者ＡはテキストエリアＴＡの更新用のテキストデータを作成して、作成したテキストデータをサーバー３０に送信することができる。
【００３０】
そして図３に示すように、サーバー３０が更新用の広告情報を受信すると（図３のステップＳ１１２のＹ）、サーバー３０は、受信した更新用の広告情報をデータベースの管理用ディレクトリに格納する（ステップＳ１１４）。そして、サーバー３０が携帯端末１０Ａから更新を実行する旨のコマンド情報を受信すると（ステップＳ１１６のＹ）、管理用ディレクトリに格納した更新用の広告情報によって閲覧用ディレクトリの広告情報を更新する（ステップＳ１１８）。
【００３１】
こうして図２に示すように、従業者Ａにより広告情報が更新されると（図２のステップＳ３０）、携帯端末１０Ａから送信された更新用の広告情報のデータ量に応じた課金情報を、携帯端末１０Ａの端末識別情報について加算する（ステップＳ３２）。この課金情報は、サーバー３０のデータベースにおいて管理され、必要に応じて携帯端末１０の端末識別情報と該携帯端末１０ごとの課金情報とを関連付けて利用明細票を構成し、広告主Oに出力する。
【００３２】
図６は、サーバー３０のデータベースにおいて管理される広告主ごとの利用明細データＡＤの一例である。図６の例では、広告情報の更新処理ごとに、更新処理が行われた日付データＤＤと、時間データＴＤと、端末識別情報ＳＤと、更新された広告情報のデータ量データＲＤと、課金された金額を示す課金情報ＭＤとが関連付けて記憶される。これにより、いつ、どの携帯端末１０から、どのくらいのデータ量が更新され、いくら課金されたかを管理することができる。
【００３３】
そして図２に示すように、閲覧用の２次元コードを読み取った消費者Ｃの携帯端末１０Ｃが閲覧用のアドレスにアクセスすると（図２のステップＳ３４）、サーバー３０は携帯端末１０Ｃの端末識別情報の有無に関わらずアクセスを受付け（ステップＳ３６）、携帯端末１０Ｃにおいて広告情報の閲覧画面を表示させるための制御処理を行う（ステップＳ３８）。例えばサーバー３０は、携帯端末１０Ｃが指定した閲覧用のアドレス情報に対応する広告情報をデータベースから読出し、閲覧用画面として構成して携帯端末１０Cに送信する。すると、携帯端末１０Ｃは表示画面に閲覧画面を表示させる（ステップＳ４０）。
【００３４】
図７（Ａ）は、消費者Ｃの携帯端末１０Ｃに表示される閲覧画面ＲＰの一例である。図７（Ａ）に示すように、本実施形態の広告情報提供システムを利用すれば、例えば従業者Ａが午前４時に魚市場から、仕入れたばかりの魚の画像Ｐ１と、その場で作成したＰＲ文章Ｔ１とにより広告情報を更新することができる。
【００３５】
また図２に示すように、従業者Ｂの携帯端末１０Ｂがサーバー３０のデータベースの管理用のアドレスにアクセスすると（ステップＳ４２）、従業者Ｂの携帯端末１０Ａとサーバー３０との間においても、従業者Ａの携帯端末１０Ａとサーバー３０との間の処理と同様に、ステップＳ４４〜ステップＳ５２の各処理を行う。そして図７（Ｂ）の閲覧画面ＲＰに示すように、例えば従業者Ｂが午後８時に飲食店店舗から、画像Ｐ２と、その場で作成したＰＲ文章Ｔ２とにより広告情報を更新することができる。
【００３６】
更に本実施形態では、管理用の２次元コードから管理用のアドレス情報を従業者の携帯端末１０に読み込んだ従業者が辞職したなど、管理用の２次元コードに管理上の問題が発生した場合には、広告主Ｏからの要求により管理用のアドレス情報を変更することができる。例えば広告主Ｏの端末が、管理用のアドレス情報の変更要求コマンドを送信すると（ステップＳ５４）、サーバー３０はパスワードやＩＤ情報などの認証情報を要求し、広告主Ｏの端末が認証情報を送信すると、サーバー３０は認証情報を判定し、予め登録されている広告主Ｏの認証情報と一致すると、管理用のアドレス情報の変更要求コマンドを受付ける（ステップＳ５６）。するとサーバー３０は、広告主Ｏの管理用のアドレス情報（管理用ディレクトリのディレクトリ名など）を変更して設定する（ステップＳ５８）。そして、変更後の管理用のアドレス情報を符号化した２次元コードを生成し（ステップＳ６０）、変更後の管理用の２次元コードが広告主Ｏに付与される。そして広告主Ｏは、変更後の管理用の２次元コードを利用する。
【００３７】
こうして本実施形態の広告情報提供システムによれば、複数の端末から広告情報を更新する場合であっても、アドレス情報や認証情報などの入力を必要とせずに、機動的かつ簡単に広告情報を更新することができる。しかも本システムによれば、複数の端末から広告情報を更新する場合であっても、各端末における本システムの利用状況を示す利用明細票を広告主Ｏに送付することによって、本システムの濫用を防止することができる。更に本システムによれば、管理用の２次元コード（アドレス情報）の管理上の問題が生じた場合に、管理用のアドレス情報を変更するとともに、変更後のアドレスにアクセスするための管理用の２次元コードを生成することにより、本システムの濫用を防止することができる。
【００３８】
３．広告情報提供システムの構成
次に、このような機能をコンピュータに実装するための広告情報提供システムの機能ブロックについて説明する。図８は、本実施形態の一例に係るサーバー３０の機能ブロック図である。
【００３９】
ワークメモリ１７０は、処理部１００や通信部１９６などのワーク領域となるもので、その機能はＲＡＭ（ＶＲＡＭ）などにより実現できる。
【００４０】
情報記憶媒体１８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。この情報記憶媒体１８０には、処理部１００において本実施形態の種々の処理を行うためのプログラム（データ）が記憶されている。即ち、この情報記録媒体１８０には、本実施形態の各部としてコンピュータを機能させるためのプログラム（各部の処理をコンピュータに実行させるためのプログラム）が記憶されている。
【００４１】
データベース１９０は、本実施形態の広告情報提供システムを運用するために必要な種々のデータやプログラムなどを格納するものであり、複数の広告情報を記憶する広告情報記憶部１９２と、端末の識別情報と該端末ごとの課金情報とを関連付けて記憶する課金情報記憶部１９４とを含む。特に広告情報記憶部１９２は、所定の記憶領域（記憶容量、アドレス）ごとにアドレス情報を割り当てることができ、本システムの利用契約を締結した広告主に、契約に応じた記憶領域を特定するアドレス情報が付与される。そして広告情報記憶部１９２の各アドレス（記憶領域）には、各広告主の広告情報を格納することができる。ここで本実施形態では広告情報は、動画データ、静止画データ、音データ、テキストデータなど種々のデータにより構成することができる。
【００４２】
ここで各広告主に付与されるアドレス情報は、例えばＷＥＢ上で本実施形態の広告情報提供システムの場所を特定するための絶対パス（http://www.aaaa.comなど）の下層にディレクトリ名（第１のディレクトリ名）を付加したもの（http://www.aaaa.com/bbbb/など）とすることができる。なおこのディレクトリ名は、他の広告主のディレクトリ名と重複しないように広告主が定めてもよいし、本実施形態の広告情報提供システムが自動的に定めるようにしてもよい。
【００４３】
通信部１９６は、外部装置（例えば携帯端末１０や他のサーバ装置）との間で通信を行うための各種制御を行うものであり、その機能は、各種プロセッサ又は通信用ＡＳＩＣなどのハードウェアや、プログラムなどにより実現できる。
【００４４】
処理部１００（プロセッサ）は、ネットワーク２０を介した携帯端末１０からの入力データや、情報記憶媒体１８０からワークメモリ１７０に展開されたプログラムなどに基づいて、広告情報の提供処理、広告情報の管理処理、課金処理などの各種の処理を行う。ここで処理部１００は、ワークメモリ１７０をワーク領域として各種処理を行う。この処理部１００の機能は、各種プロセッサ（ＣＰＵ、ＧＰＵ、ＤＳＰ等）やＡＳＩＣ（ゲートアレイ等）などのハードウェアや、プログラム（ゲームプログラム）により実現できる。
【００４５】
そして処理部１００は、閲覧画面制御部１０２、２次元コード生成部１０４、管理画面制御部１０６、広告情報更新部１０８、識別情報取得部１１０、課金処理部１１２、課金情報出力部１１４、アドレス情報変更部１１６を含む。なおこれらの一部を省略する構成としてもよい。
【００４６】
閲覧画面制御部１０２は、サーバー３０にアクセスしてきた携帯端末１０の表示部において、データベース１９０に格納された各広告情報の閲覧画面を表示させる。詳細には閲覧画面制御部１０２は、携帯端末１０が指定したアドレス情報に対応する広告情報をデータベース１９０から読出し、閲覧用画面として構成して携帯端末１０に送信する。ここで各広告情報の閲覧画面を表示させるための閲覧用のアドレス情報は、例えば各広告主に付与されたアドレス情報（http://www.aaaa.com/bbbb/など）の下層にディレクトリ名（第２のディレクトリ名）を更に付加したもの（http://www.aaaa.com/bbbb/cccc/など）とすることができる。なおこのディレクトリ名は、広告主の他のディレクトリ名と重複しないように広告主が定めてもよいし、本実施形態の広告情報提供システムが自動的に定めるようにしてもよい。
【００４７】
２次元コード生成部１０４は、閲覧用のアドレス情報が符号化された閲覧用の２次元コードと、管理用のアドレス情報が符号化された管理用の２次元コードとを生成する。詳細には２次元コード生成部１０４は、アドレス情報の文字列を示すビット列（ASCIIコードなど）を２次元コードのフォーマットに基づいて変換して、２次元コード読取装置によりアドレス情報が読取られる２次元コードを生成する。特に本実施形態では、アドレス情報の文字列を示すビット列に対応する暗（黒）モジュール又は明（白）モジュールをQRコード上に配置し、閲覧用のアドレス情報が読取られるQRコード及び管理用のアドレス情報が読取られるQRコードを生成する。
【００４８】
ここで管理用のアドレス情報は、例えば各広告情報の閲覧用のアドレス情報（http://www.aaaa.com/bbbb/cccc/など）の下層にディレクトリ名（第３のディレクトリ名）を更に付加したものとすることができる（http://www.aaaa.com/bbbb/cccc/dddd/など）。なおこのディレクトリ名は、広告主が定めてもよいし、本実施形態の広告情報提供システムが自動的に定めるようにしてもよい。特に、広告情報の管理画面を表示させるためにIDやパスワードなどの認証情報を要求しない場合には、第３のディレクトリ名は他人が類推できるような文字列とならないように定めることが好ましい。
【００４９】
そして本実施形態の広告情報提供システムでは、閲覧用のアドレス情報が符号化された２次元コードと管理用のアドレス情報が符号化された２次元コードとが広告主に付与される。
【００５０】
管理画面制御部１０６は、２次元コードから管理用のアドレス情報を読取った端末において、該アドレス情報に対応する広告情報の管理画面を表示させる。詳細には管理画面制御部１０２は、携帯端末１０が指定したアドレス情報に対応する広告情報をデータベース１９０から読出し、管理用画面として構成して携帯端末１０に送信する。
【００５１】
広告情報更新部１０８は、管理画面を表示させた端末からの要求に応じて、該管理画面に対応する広告情報を更新する。詳細には広告情報更新部１０８は、データベース１９０の広告情報を登録、更新、削除するなどのコマンド情報を携帯端末１０から受付け、携帯端末１０から送信された新たな画像データやテキストデータなどの更新用の広告情報を、管理用のアドレス情報の記憶領域にアップロードする。そして受付けたコマンド情報に基づいて、閲覧用のアドレス情報の記憶領域に更新用の広告情報を格納する。
【００５２】
なお広告情報更新部１０８は、データベース１９０の広告情報を更新する際に、既存の広告情報を削除せずに保存用の記憶領域にコピー（移動）するようにしてもよい。そして管理画面を表示させた端末からの要求に応じて、保存用の記憶領域にある広告情報によって閲覧用の広告情報を更新するようにしてもよい。
【００５３】
識別情報取得部１１０は、管理画面を表示させた端末の識別情報を取得する。詳細には識別情報取得部１１０は、管理用のアドレス情報にアクセスしてきた携帯端末１０の端末識別情報を取得する。ここで携帯端末１０が端末識別情報を発信しておらず、端末識別情報を取得できない場合には、アクセスを受付けないようにし、管理画面制御部１０６が当該携帯端末１０に対して管理用画面を送信しないようにしたり、広告情報更新部１０８が当該携帯端末１０からの情報を受付けないように構成してもよい。なお特定の端末の端末識別情報を事前に登録しておき、登録した端末識別情報の端末のみアクセスを受付けるようにしてもよいし、端末識別情報の事前登録はせずに端末識別情報を取得できさえすれば、即ち端末識別情報を発信している端末であればアクセスを受付けるようにしてもよい。
【００５４】
課金処理部１１２は、端末からの要求に応じて広告情報を更新した場合に、該端末について課金処理を行う。詳細には課金処理部１１２は、管理画面のアドレス情報にアクセスした回数、更新した広告情報のデータ量、更新回数、更新頻度（所定期間の更新回数）などに応じて、課金情報を端末ごとに加算し、データベース１９０の課金情報記憶部１９４に格納する。
【００５５】
なお課金処理部１１２は、広告情報の更新に関わらず、広告主に使用する権利が付与された記憶領域の記憶容量、記憶させることができるデータの種類、閲覧用のアドレス情報にアクセスした回数（消費者のアクセス回数）、閲覧用のアドレス情報にアクセスしたことにより成立した取引での取引金額などに応じて課金するようにしてもよい。
【００５６】
課金情報出力部１１４は、端末の識別情報と該端末ごとの課金情報とを関連付けて出力する。詳細には課金情報出力部１１４は、課金情報記憶部１９４に格納された端末ごとの課金情報に基づいて、端末の識別情報と該端末ごとの課金情報とを関連付けた利用明細票をデータ出力し、これをメールに添付して広告主に送信したり、紙媒体に出力して広告主に郵送する。
【００５７】
アドレス情報変更部１１６は、例えば定期的に、或いは２次元コード（アドレス情報）の管理上の問題が生じた場合に、各広告主の広告情報に対応するアドレス情報を変更する。詳細にはアドレス情報変更部１１６は、データベース１９０に格納されている各広告主の広告情報に対応するアドレス情報に基づいて、各アドレス情報が重複しないように、そして他人が類推できない文字列のアドレス情報となるように、一部又は全部のアドレス情報を変更する。この場合２次元コード生成部１０４は、変更後のアドレス情報が符号化された２次元コードを生成し、生成した２次元コードを広告主に付与する。そしてアドレス情報変更部１１６は、変更前のアドレス情報を無効化する。
【００５８】
４．変形例
また、本発明の適用は上述した実施例に限定されず、種々の変形が可能である。例えば、２次元コードは、ＱＲコードなどのマトリックス式の２次元コードのみならず、スタック式の２次元コードや、カラー識別式の２次元コードなど、種々の２次元コードに関して適用することができる。また携帯端末は、携帯電話やＰＤＡやラップトップコンピュータなど種々の端末とすることができる。
【００５９】
また、本実施形態の広告情報提供システムを適用できる業種は飲食業に限らず、種々の業種に適用することができる。特に接待飲食営業の広告情報を提供する場合には、接客を行う従業者１人１人に個別の管理用のアドレス情報（データベース上の記憶領域）を割り当て、個別の管理用の２次元コードを貸与するようにしてもよい。この場合には、接客を行う従業者１人１人が自己をＰＲする広告情報を作成し、各人が所有する携帯端末から広告情報を更新する。
【００６０】
また、上記実施形態で説明した携帯端末で行う処理をサーバーで行うようにしてもよいし、サーバーで行う処理を携帯端末で行うようにしてもよい。即ち本発明の各処理は、適宜サーバーサイドアプリケーションにより実行するようにしたり、クライアントサイドアプリケーションにより実行するようにすることができる。
【図面の簡単な説明】
【００６１】
【図１】本実施形態の一例に係るシステム全体の概略図。
【図２】本実施形態の広告情報提供システムを利用した運用例を示す図。
【図３】本実施形態の処理の流れの一例を示すフローチャート図。
【図４】本実施形態の端末の表示部に表示される管理画面の一例を示す図。
【図５】本実施形態の端末の表示部に表示される管理画面の一例を示す図。
【図６】本実施形態のデータベースのデータ構造の一例を示す図。
【図７】本実施形態の端末の表示部に表示される閲覧画面の一例を示す図。
【図８】本実施形態の機能を実現する機能ブロック図。
【符号の説明】
【００６２】
ＡＰ  管理用画面、ＰＰ  画像データ選択画面、ＴＰ  テキストデータ入力画面、
ＡＤ  利用明細データ、ＲＰ  閲覧画面、１０  携帯端末、１２  表示部、１４  操作部、  ２０  ネットワーク、３０  サーバー、１００  処理部、１０２  閲覧画面制御部、  １０４  ２次元コード生成部、１０６  管理画面制御部、１０８  広告情報更新部、  １１０  識別情報取得部、１１２  課金処理部、１１４  課金情報出力部、
１１６  アドレス情報変更部、１９２  広告情報記憶部、１９４  課金情報記憶部
【図１】
2008269306.tif 000003
【図２】
2008269306.tif 000004
【図３】
2008269306.tif 000005
【図４】
2008269306.tif 000006
【図５】
2008269306.tif 000007
【図６】
2008269306.tif 000008
【図７】
2008269306.tif 000009
【図８】
2008269306.tif 000010